(57)【要約】【構成】棒部１００と棒部１００の先端に取付られたＵ字形部１０１とを備えてなる刺股状防護具１において、棒部１００及びＵ字形部１０１にそれぞれコイルバネ又はコイル、ワイヤー、帯状物、紐、繊条等の線条物１０２を周設してなる刺股状防護具１。【効果】棒部やＵ字形部にコイルバネ等が周設されているので、侵入者がそのＵ字形部や棒部を掴んで当該刺股状防護具を外そうとしたり或いは逆に奪おうとしても、力が入らず、それが不可能になる。【選択図】図１
2005241217.tif 000002
【特許請求の範囲】
【請求項１】
棒部と該棒部の先端に取付られたＵ字形部とを備えてなる刺股状防護具において、当該棒部及びＵ字形部にそれぞれコイルバネ又はコイル、ワイヤー、帯状物、紐、繊条等の線条物を周設してなることを特徴とする刺股状防護具。
【請求項２】
棒部と該棒部の先端に取付られたＵ字形部とを備えてなる刺股状防護具において、当該Ｕ字形部にコイルバネ又はコイル、ワイヤー、帯状物、紐、繊条等の線条物を周設し、当該棒部に合成樹脂製チューブ又はパイプよりなる筒状部材を周設してなることを特徴とする刺股状防護具。
【発明の詳細な説明】
【技術分野】
【０００１】
本発明は、刺股（さすまた）状防護具に関し、特に、建物などへの侵入者への防御具として使用できる刺股状防護具に関するものである。
【背景技術】
【０００２】
刺股（さすまた）は、江戸時代、乱暴者や犯罪人を捕縛するための武器の一種として使用されており、一般に、かしの棒の先端にＵ字形の金具をつけたものである。
その長さは、例えば、約２ｍ程あり、その用法の一例は、当該刺股を用いて相手のむこうずねを突き、相手をねじ倒し、首を押さえて縄を掛け、乱暴者や犯罪人を捕縛していた。
当該刺股は、今日でも、交番に置かれている。
当該刺股の一例を、図６に示す。当該刺股６００は、棒（柄）６０１とＵ字形部６０２とからなっている。
近時、学校や建物等への不法侵入事件が多発しており、当該刺股は、侵入者に対する防御具として現在でも立派に役立つものであるが、上記のような従来例では、力の強い侵入者の場合、例えば、腰に刺股の前記Ｕ字形部６０２を押当ると、当該Ｕ字形部６０２の先端部を握られたり、或いは、棒部（柄部）６０１を握られて、逆に、刺股を相手に奪われてしまうことがあるという欠点があった。
【発明の開示】
【発明が解決しようとする課題】
【０００３】
本発明は、上記従来技術の有する欠点を解消した新規の技術を提供することを目的としたものである。
本発明の他の目的や新規な特徴については本件明細書及び図面の記載からも明らかになるであろう。
【課題を解決するための手段】
【０００４】
本発明の特許請求の範囲は、次の通りである。
（請求項１）棒部と該棒部の先端に取付られたＵ字形部とを備えてなる刺股状防護具において、当該棒部及びＵ字形部にそれぞれコイルバネ又はコイル、ワイヤー、帯状物、紐、繊条等の線条物を周設してなることを特徴とする刺股状防護具。
（請求項２）棒部と該棒部の先端に取付られたＵ字形部とを備えてなる刺股状防護具において、当該Ｕ字形部にコイルバネ又はコイル、ワイヤー、帯状物、紐、繊条等の線条物を周設し、当該棒部に合成樹脂製チューブ又はパイプよりなる筒状部材を周設してなることを特徴とする刺股状防護具。
【発明の効果】
【０００５】
本発明によれば、棒部やＵ字形部に、コイルバネ又はコイル、ワイヤー、帯状物、紐、繊条等の線条物が周設されているので、当該刺股状防護具を使用したときに、例えば、学校への侵入者が、当該刺股状防護具のＵ字形部や棒部を掴んで例えば当該刺股状防護具を外そうとしたり或いは逆に奪おうとしても、当該コイルバネ又はコイル、ワイヤー、帯状物、紐、繊条等の線条物が回転したり摺動したり又は滑動してしまうので、力が入らず、当該刺股状防護具を外したり或いは奪うことが不可能になる。特に、コイルバネは、侵入者が、当該刺股状防護具のＵ字形部や棒部を掴んだときに、バネが伸びて、力が入らず、又は、バネが寄ってきてバネに指が挟まって痛くなり、空転し、当該刺股状防護具を外したり或いは奪うことが不可能になる。
【発明を実施するための最良の形態】
【０００６】
図１に示すように、刺股状防護具１は、棒部（柄部）１００とＵ字形部１０１とを備えてなると共に、棒部１００やＵ字形部１０１に、コイルバネ１０２が各々取り付けられている。
当該コイルバネ１０２は、例えば、図１に示すようなねじりコイルバネ、図５（Ａ）に示すような引張コイルバネの他、圧縮コイルバネ等も包含する。
当該Ｕ字形部１０１における当該コイルバネ１０２は、例えば、図示のように、当該Ｕ字形部１０１の先端部からＵ字形部１０１の縁に掛けて装着されている。当該Ｕ字形部１０１におけるコイルバネ１０２は、当該Ｕ字形部１０１の径よりもやや大きく構成され、例えば、侵入者が当該Ｕ字形部１０１におけるコイルバネ１０２を掴むと、回転したり摺動したり又は滑動して、力が入らず、当該刺股状防護具を外したり或いは奪うことが不可能になるように装着されている。コイルバネは、侵入者が、当該刺股状防護具のＵ字形部や棒部を掴んだときに、バネが伸びて、力が入らず、又は、バネが寄ってきてバネに指が挟まって痛くなり、空転し、当該刺股状防護具を外したり或いは奪うことが不可能になる。当該Ｕ字形部１０１におけるコイルバネ１０２は、当該Ｕ字形部１０１の開口部の両側に各々配設し、例えば、図示のように、金属管等の固定具１０３で、当該両側のコイルバネ１０２の各下端部を圧着固定することができる。
当該棒部１００におけるコイルバネ１０２は、適宜の長さとする。
【０００７】
図１に示すように、棒部（柄部）１００には、当該刺股状防護具１の操作を容易にする或いは滑止めなどの観点から、例えば、ゴム製のグリップ部２を取り付けるとよい。
【０００８】
図２は、Ｕ字形部１０１には、前記実施例と同様にコイルバネ１０２を取付け、他方、棒部１００には、図２（Ｂ）に示すような筒状部材１０４を取付けてなる実施例を示す。
当該筒状部材１０４は、例えば、軟質の合成樹脂製のチューブ又はパイプから構成されている。又、当該筒状部材１０２は、当該棒部１００の径よりも大きく構成されている。
当該棒部１００における当該筒状部材１０４は、図示のように、当該棒部１００の中途からＵ字形部１０１の縁に掛けて装着されている。当該筒状部材１０４は、当該棒部１００の径よりもやや大きく構成され、例えば、侵入者が当該棒部１００における当該筒状部材１０４を掴むと、回転したり摺動したり又は滑動して、力が入らず、当該刺股状防護具を外したり或いは奪うことが不可能になるように装着されている。
【０００９】
図３は、図１に示す刺股状防護具１において、棒部（柄部）１００におけるコイルバネ１０２の端部近傍に、当該コイルバネ１０２のストッパー３を設けてなる実施例を示す。当該ストッパー３は、当該棒部（柄部）１００におけるコイルバネ１０２の抜けを防止することができる。
【００１０】
図４は、Ｕ字形部１０１の上端部にコイルバネ１０２の脱れ防止などから、止着部４を設けてなる実施例を示す。
【００１１】
上記実施例では、コイルバネ１０２を使用する例を示したが、当該コイルバネ１０２に代えて、コイル、ワイヤー、帯状物、紐、繊条等の線条物１０５を、Ｕ字形部１０１に、回転可能、摺動可能又は滑動可能に周設してもよい。
図５（Ｂ）には、テープのような帯状物１０５を、Ｕ字形部１０１に周設してなる例を示す。
【００１２】
本発明では、適宜変更が可能であり、例えば、前記実施例では、金属管１０４を用いてコイルバネ１０２の端部を固定する例を示したが、例えば、止めネジ、接着剤を用いるなどの他の方法で固定してもよい。
本発明の刺股状防護具における棒部とＵ字形部とは一体化されていても又個別に独立した形態であってもよい。又、これら棒部とＵ字形部は、同じ材質の材料からなっていてもいてもよいし又異なった材質の材料からなっていてもよい。
【産業上の利用可能性】
【００１３】
本発明は、刺股その他の各種の防護具として利用できる。
【図面の簡単な説明】
【００１４】
【図１】本発明の実施例を示す構成図である。
【図２】（Ａ）本発明の他の実施例を示す構成図、（Ｂ）筒状部材の実施例を示す構成図である。
【図３】本発明の更に他の実施例を示す構成図である。
【図４】本発明の他の実施例を示す止着部を取付けた構成図である。
【図５】（Ａ）本発明の他の実施例を示すコイルバネの説明図、（Ｂ）線条物の実施例を示す説明図である。
【図６】従来例を示す構成図である。
【符号の説明】
【００１５】
１    刺股状防護具
２    グリップ部
３    ストッパー
４    止着部
１００    棒部（柄部）
１０１    Ｕ字形部
１０２    コイルバネ
１０３    固定具
１０４    筒状部材
１０５    線条物
【図１】
2005241217.tif 000003
【図２】
2005241217.tif 000004
【図３】
2005241217.tif 000005
【図４】
2005241217.tif 000006
【図５】
2005241217.tif 000007
【図６】
2005241217.tif 000008